(57)【要約】【課題】安全性に優れた展示用フックを提供する。【解決手段】構造体Ａに対して略水平に突出状態に取付けて物品を吊り下げるのに用いる展示用フックＨ１であって、略棒状を成す本体部１の基端に、構造体Ａへの取付け具２を備えると共に、本体部１の先端に、弾性変形可能な軟質材料から成る先端部材３を備えた構成とし、身体が当たったとしても先端部材３によって安全性を確保する。【選択図】  図１
2006122103.tif 000002
【特許請求の範囲】
【請求項１】
構造体に対して略水平に突出状態に取付けて物品を吊り下げるのに用いる展示用フックであって、略棒状を成す本体部の基端に、構造体への取付け部を備えると共に、本体部の先端に、弾性変形可能な軟質材料から成る先端部材を備えたことを特徴とする展示用フック。
【請求項２】
本体部と先端部材が互いに異材質の成形品であって、本体部に対して先端部材が一体的に成形してあることを特徴とする請求項１に記載の展示用フック。
【請求項３】
本体部と取付け部が別部材から成り、構造体に取付けた状態において、取付け部に対して本体部が略水平状態から上方に回動可能であることを特徴とする請求項１又は２に記載の展示用フック。
【請求項４】
先端部材が、本体部と異なる色彩を有することを特徴とする請求項１〜３に記載の展示用フック。
【発明の詳細な説明】
【技術分野】
【０００１】
本発明は、例えば商店等において商品を吊り下げて陳列するのに用いる展示用フックに関するものである。
【背景技術】
【０００２】
この種の展示用フックとしては、プラスチック製又は金属製で略棒状を成すと共に、陳列棚などの側壁や展示板といった構造体に基端部を連結し、略水平に突出させた状態にして商品を吊り下げるものがある。このような展示用フックは、様々な商店等で使用されており、例えば構造体に多数本を所定間隔で設けることで、多くの商品の陳列に役立っていることが周知である。
【特許文献１】特開平９−２３３２８１号公報
【発明の開示】
【発明が解決しようとする課題】
【０００３】
ところで、上記したような従来の展示用フックは、安全性を確保するために、先端部に丸みを設けるなどの工夫が施されているが、略棒状を成して突出した状態にあり、また、商品等によって見え難い状態になることもあって、例えば顔を近づけた際に不安感を与えるおそれがあった。このため、安全性をより高めるうえでの改善が望まれていた。
【課題を解決するための手段】
【０００４】
本発明は、上記従来の状況に鑑みて成されたものであって、安全性に優れた展示用フックを提供することを目的としている。
【０００５】
本発明の展示用フックは、請求項１として、構造体に対して略水平に突出状態に取付けて物品を吊り下げるのに用いる展示用フックであって、略棒状を成す本体部の基端に、構造体への取付け部を備えると共に、本体部の先端に、弾性変形可能な軟質材料から成る先端部材を備えた構成としており、上記構成をもって従来の課題を解決するための手段としている。
【０００６】
また、本発明の展示用フックは、請求項２として、本体部と先端部材が互いに異材質の成形品であって、本体部に対して先端部材が一体的に成形してあることを特徴とし、請求項３として、本体部と取付け部が別部材から成り、構造体に取付けた状態において、取付け部に対して本体部が略水平状態から上方に回動可能であることを特徴とし、請求項３として、先端部材が、本体部と異なる色彩を有することを特徴としている。
【発明の効果】
【０００７】
本発明の請求項１に係わる展示用フックによれば、本体部の先端に弾性変形可能な軟質材料から成る先端部材を設けたことにより、構造体に取付けた状態において、物品を吊り下げる機能を何ら損なうことがなく、仮に身体が当たったとしても先端部材によって安全性を確保することができる。
【０００８】
本発明の請求項２に係わる展示用フックによれば、請求項１と同様の効果を得ることができるうえに、本体部と先端部材の接合強度を充分に確保して、先端部材の脱落を防止することができると共に、例えば二色射出成形機を用いた二重成形によって容易に大量生産することができる。
【０００９】
本発明の請求項３に係わる展示用フックによれば、請求項１及び２と同様の効果を得ることができるうえに、構造体に取付けた状態において仮に身体が当たった場合には、先端部材による安全性の確保に加えて、上方に回動することで衝撃を緩和することができ、安全性のさらなる向上を実現する。
【００１０】
本発明の請求項４に係わる展示用フックによれば、請求項１〜３と同様の効果を得ることができるうえに、先端部材の色彩を本体部と異なるものにすることで、先端部を認識し易くすることができ、安全性のさらなる向上を実現する。
【実施例】
【００１１】
図１〜図３は、本発明の展示用フックの一実施例を説明する図である。
図示の展示用フックＨ１は、棒状を成す本体部１の基端に、展示板等の構造体Ａへの取付け部である取付け具２を備えると共に、本体部１の先端に、弾性変形可能な軟質材料から成る先端部材３を備えている。本体部１及び取付け具２は、その材料がとくに限定されるものではないが、例えばプラスチック製である。
【００１２】
本体部１は、基端部分に膨出部４を有しており、この膨出部４に、上部傾斜面５と、当該本体部１の長手方向にほぼ直交する下部端面６を有すると共に、膨出部４の両側に、当該本体部１の長手方向を長径（又は長辺）とする突起部７を有している。
【００１３】
取付け具２は、基板８の正面に、左右一対の突出片９，９が一体成形してあり、両突出片９，９には、上方に開放した係止孔１０，１０が夫々形成してある。両係止孔１０の開放幅は、本体部１における突起部７の短径（又は短辺）に対応する大きさである。また、基板８の背面には、上向きの上部係止片１１と、下向きの下部係止片１２が一体成形してあり、上部係止片１１に比べて下部係止片１２が明らかに短いものとなっている。
【００１４】
ここで、この実施例では、上記の如く本体部１と取付け具（取付け部）２が別部材から成り、構造体Ａに取付けた状態において、取付け具２に対して本体部１が略水平状態から上方に回動可能である。
【００１５】
すなわち、本体部１と取付け具２は、本体部１における左右の突起部７を、取付け具２における左右の係止孔１０に対してその開放部分から挿入し、突起部７を係止孔１０に回動可能に係合させる。そして、本体部１を下方に回動させると、下部端面６と基板８とが当接して本体部１が略水平に保たれることとなり、また、図１中に仮想線で示すように、本体部１を上方へ回動させることができる。したがって、使用しない場合には、本体部１を上げておけば邪魔になることがない。
【００１６】
先端部材３は、樹脂、天然ゴム、合成ゴム及びエラストマーなどから適宜選択した軟質材料から成るもので、容易に弾性変形させることができる程度の硬度を有し、この実施例の場合は、当該展示用フックＨ１に吊り下げた物品の脱落防止を図るために、先端側が上方に屈曲した形状になっている。
【００１７】
また、先端部材３は、本体部１と異材質の成形品であって、例えば二色射出成形機を用いた二重成形により、本体部１に対して一体的に成形してある。この場合、本体部１の成形に続いて先端部材３を成形することになるが、図１中の拡大図に示すように、本体部１の先端部に、頭部を大径とした接合突起１３を形成し、その後、接合突起１３を包む状態で先端部材３を成形することにより、本体部１と先端部材３との接合強度をより一層高めることができる。
【００１８】
さらに、先端部材３には、本体部１と異なる色彩が設けてある。この場合、成形機において、先端部材３の形成材料に染料を混ぜておけば、着色された先端部材３を効率良く製造することができるが、成形後の先端部材３に着色しても良い。なお、先端部材３の色彩は、本体部１の色と区別し易くて目立つものとなるように、明暗や濃度などを適宜選択するのが望ましい。
【００１９】
上記の展示用フックＨ１を構造体Ａに取付けるには、構造体Ａに取付け用の開口部Ｂを形成する。このとき、開口部Ｂは、取付け具２の上下の係止片１１，１２の幅に相当する横寸法と、取付け具２の基板８と下部係止片１２を合わせた高さに相当する縦寸法を有する矩形状のものとする。そして、展示用フックＨ１は、開口部Ｂに上部係止片１１を先に通し、その後、下部係止片１２を通して両係止片１１，１２を構造体Ａの背面に係止することにより、構造体Ａから本体部１が略水平に突出状態に取付けられ、この状態で物品を吊り下げる。
【００２０】
上記の展示用フックＨ１は、従来通りに物品を吊り下げる機能を備えると共に、本体部１の先端に弾性変形可能な軟質材料から成る先端部材３を設けているので、仮に身体が当たったとしても先端部材３によって安全性を確保することができる。また、先端部材３の色彩を本体部１と異なるものにしているので、先端部が認識し易くなるうえに、本体部１を上方に回動させることによっても、身体が当たった場合の衝撃を緩和することができることから、極めて安全性に優れたものとなっている。
【００２１】
さらに、展示用フックＨ１は、本体部１と先端部材３が互いに異材質の成形品であり、本体部１に対して先端部材３を一体成形するようにしているので、本体部１と先端部材３の接合強度が充分に高く、先端部材３が脱落するような心配もなく、二重成形によって容易に大量生産し得るものとなる。
【００２２】
図４及び図５は、本発明に係わる展示用フックの他の実施例及びさらに他の実施例を説明する図である。なお、先の実施例と同一の構成部位は、同一符号を付して詳細な説明を省略する。
【００２３】
図４に示す展示用フックＨ２は、本体部１にの基端に、取付け部２２を一体成形したものである。この場合、取付け部２２は、基板８、上部係止片１１及び下部係止片１２を有している。この展示用フックＨ２にあっても、弾性変形可能な軟質材料から成る先端部材３の採用により、先の実施例と同様に安全性に優れたものとなる。
【００２４】
図５に示す展示用フックＨ３は、本体部１に取付け部２２が一体成形してあり、また、先の実施例では屈曲した先端部材３を用いたのに対して、全体が本体部１と同軸状を成す先端部材２３を用いている。この先端部材２３は、物品の着脱に支障が無く且つ吊り下げた物品が容易に脱落しないように、その外周部に、本体部１の長手方向に沿った複数の突条２３ａが形成してある。この展示用フックＨ２にあっても、弾性変形可能な軟質材料から成る先端部材３の採用により、先の実施例と同様に安全性に優れたものとなる。
【００２５】
なお、本発明に係わる展示用フックは、その詳細な構成が上記各実施例のみに限定されるものではなく、本発明の要旨を逸脱しない範囲で構成の細部を変更することが可能である。具体的には、本体部や取付け部に金属やそれ以外の材料を用ることもでき、また、先端部材を中空状に成形して、より一層弾性変形し易いものとすることも有効である。
【００２６】
さらに、上記各実施例では、展示板の如き構造体を例示し、その構造体に矩形状の開口部を設けた場合を例示したが、取付け部（取付け具）が上下の外向き係止片を有するものである場合には、各係止片に個別に対応する上下の開口部を構造体に形成しても良い。また、上下の内向き鉤部を有するレールを構造体とし、この構造体に上下の外向き係止片を係合するようにしても良く、これとは逆に、取付け部の背面に上下の内向き係止片を設けると共に、上下に溝を有するレールを構造体とし、この構造体に上下の内向き係止片を係合するようにしても良い。このように、当該展示用フックの構造体への取付け構造は、様々な形態を採用することが可能である。
【図面の簡単な説明】
【００２７】
【図１】本発明の展示用フックの一実施例を説明する側面図である。
【図２】本体部と取付け具の組立要領を説明する側面図である。
【図３】展示用フック及び構造体を示す斜視図である。
【図４】本発明の展示用フックの他の実施例を説明する側面図である。
【図５】本発明の展示用フックのさらに他の実施例を説明する側面図（ａ）及び先端部の正面図（ｂ）である。
【符号の説明】
【００２８】
Ａ          構造体
Ｈ１〜Ｈ３  展示用フック
１          本体部
２          取付け具（取付け部）
３          先端部材
２２        取付け部
２３        先端部材
【図１】
2006122103.tif 000003
【図２】
2006122103.tif 000004
【図３】
2006122103.tif 000005
【図４】
2006122103.tif 000006
【図５】
2006122103.tif 000007